(57)【要約】【課題】この発明は、構成簡易にして、小形化の促進を図り得る焦点検出を実現し得るようにすることにある。【解決手段】撮影光学系からの被写体光束の一部を集光するコンデンサーレンズ３１を、カメラボディ１０の下部に、カメラ後方の斜め上向き方向に向いて配置して、このコンデンサーレンズ３１からの光束を第１のミラー３２で、撮影光学系の光軸後方に反射させ、この第１のミラー３２で反射された光束を、赤外カットフィルタ３４を通させた後、第２のミラー３３でカメラ下方に反射させてセパレータレンズ３５で分割してＡＦセンサ３６に入射させて焦点を検出するように構成した。【選択図】図１
2009092957.tif 000002
【特許請求の範囲】
【請求項１】
一眼レフレックスカメラのための焦点検出装置において、
カメラボデイ下部に配置され、カメラ後方の斜め上向き方向に向いて撮影光学系からの被写体光束の一部を集光するコンデンサーレンズと、
上記コンデンサーレンズからの光束を上記撮影光学系の光軸後方に反射する第１のミラーと、
上記第１のミラーで反射された光束をカメラ下方に反射する第２のミラーと、
上記第２のミラーで反射された光束を分割するセパレータレンズと、
上記セパレータレンズの下方に配置され、該セパレータレンズで分割された光束が入射されるＡＦセンサと、
上記第１のミラーと第２のミラーとの間に配置された赤外カットフィルタと、
を具備したことを特徴とする焦点検出装置。
【請求項２】
上記コンデンサーレンズの光軸を第１の線分とし、上記第１のミラーの反射中心と上記第２のミラーの反射中心とを結ぶ線分を第２の線分とし、上記第２のミラーの反射中心と上記ＡＦセンサ中心とを結ぶ線分を第３の線分とし、上記撮影光学系の光軸と上記第１の線分との交差角度をα、第１の線分と第２の線分との交差角度をβ、第２の線分と第３の線分との交差角度をγとすると、
α＜９０°、β＜９０°、γ＜９０°
に設定したことを特徴とする請求項１記載の焦点検出装置。
【請求項３】
一眼レフレックスカメラのための焦点検出装置において、
カメラボデイ下部に配置され、カメラ後方の斜め上向き方向に向いて撮影光学系からの被写体光束の一部を集光するコンデンサーレンズと、
上記コンデンサーレンズからの光束を上記撮影光学系の光軸後方に反射する第１のミラーと、
上記第１のミラーで反射された光束をカメラ下方に反射する第２のミラーと、
上記第２のミラーで反射された光束を分割するセパレータレンズと、
上記セパレータレンズの下方に配置され、該セパレータレンズで分割された光束が入射されるＡＦセンサと、
を具備し、上記コンデンサーレンズの光軸を第１の線分とし、上記第１のミラーの反射中心と上記第２のミラーの反射中心とを結ぶ線分を第２の線分とし、上記第２のミラーの反射中心と上記ＡＦセンサ中心とを結ぶ線分を第３の線分とし、上記撮影光学系の光軸と上記第１の線分との交差角度をα、第１の線分と第２の線分との交差角度をβ、第２の線分と第３の線分との交差角度をγとすると、
α＜９０°、β＜９０°、γ＜９０°
に設定したことを特徴とする焦点検出装置。
【請求項４】
上記第１のミラーと上記第２のミラーとの間に赤外カットフィルタを配置したことを特徴とする請求項３記載の焦点検出装置。
【請求項５】
一眼レフレックスカメラのための焦点検出装置において、
撮影光学系からの被写体光束を反射して接眼光学系へ導き、該被写体光束の一部を透過するメインミラーと、
上記メインミラーの背面に配置され、上記被写体光束の一部を下方に反射するサブミラーと、
上記サブミラーの下部に配置され、カメラ後方の斜め上向き方向を向いて上記サブミラーで反射された上記被写体光束の一部を集光するコンデンサーレンズと、
上記コンデンサーレンズからの光束を上記撮影光学系の光軸後方に反射する第１のミラーと、
上記第１のミラーで反射された光束をカメラ下方に反射する第２のミラーと、
上記第２のミラーで反射された光束を分割するセパレータレンズと、
上記セパレータレンズの下方に配置され、該セパレータレンズで分割された光束が入射されるＡＦセンサと、
を具備し、上記コンデンサーレンズの光軸を第１の線分とし、上記第１のミラーの反射中心と上記第２のミラーの反射中心とを結ぶ線分を第２の線分とし、上記第２のミラーの反射中心と上記ＡＦセンサ中心とを結ぶ線分を第３の線分とし、上記撮影光学系の光軸と上記第１の線分との交差角度をα、第１の線分と第２の線分との交差角度をβ、第２の線分と第３の線分との交差角度をγとすると、
α＜９０°、β＜９０°、γ＜９０°
に設定したことを特徴とする焦点検出装置。
【請求項６】
上記第１のミラーと上記第２のミラーとの間に赤外カットフィルタを配置したことを特徴とする請求項５記載の焦点検出装置。
【発明の詳細な説明】
【技術分野】
【０００１】
この発明は、例えばオートフォーカスタイプの一眼レフレックスカメラなどに用いられる焦点検出装置に関する。
【背景技術】
【０００２】
一般に、この種の焦点検出装置は、撮影光学系で取り込んだ光学像の一部が可動自在な反射メインミラー及びサブミラーを介してコンデンサーレンズに取込まれる。このコンデンサーレンズに取込まれた光束は、反射光学系、セパレータレンズを介してＡＦセンサに導かれて焦点距離の検出が行われている。
【０００３】
このような焦点検出装置には、反射光学系として、コンデンサーレンズで集光された光束が導かれると、例えばその光束をＺ形状に折り曲げられてセパレータに導くことにより、ＡＦセンサとの必要光路長を確保するように構成したものが提案されている（例えば、特許文献１参照。）。
【特許文献１】特開平２００３−１９５１３４号公報
【発明の開示】
【発明が解決しようとする課題】
【０００４】
しかしながら、上記焦点検出装置では、取込まれた光を反射光学系でＺ形状に折り曲げている構成でも、高さ寸法が嵩み、カメラボディが大形となるという問題を有する。
【０００５】
この発明は、上記の事情に鑑みてなされたもので、構成簡易にして、小形化の促進を図り得る焦点検出を実現し得るようにした焦点検出装置を提供することを目的とする。
【課題を解決するための手段】
【０００６】
この発明は、一眼レフレックスカメラのための焦点検出装置を、カメラボデイ下部に配置され、カメラ後方の斜め上向き方向に向いて撮影光学系からの被写体光束の一部を集光するコンデンサーレンズと、上記コンデンサーレンズからの光束を上記撮影光学系の光軸後方に反射する第１のミラーと、上記第１のミラーで反射された光束をカメラ下方に反射する第２のミラーと、上記第２のミラーで反射された光束を分割するセパレータレンズと、上記セパレータレンズの下方に配置され、該セパレータレンズで分割された光束が入射されるＡＦセンサと、上記第１のミラーと第２のミラーとの間に配置された赤外カットフィルタとを備えて構成した。
【０００７】
上記構成によれば、撮影光学系からの被写体光束の一部は、コンデンサーレンズで集光されて、第１のミラーで撮影光学系の光軸後方に反射され、赤外カットフィルタでＡＦセンサに不要な赤外光成分が除去された後、第２のミラーでカメラ下方に反射され、セパレータレンズを通してＡＦセンサに入射され、焦点の検出に供されている。
【０００８】
これにより、ＡＦセンサとの必要光路長を維持した状態で、組立状態における高さ寸法を小さくすることが可能となり、カメラボディの小形化の促進に寄与することができる。そして、赤外カットフィルタが他の光学素子、例えばコンデンサーレンズやセパレータレンズ、第１のミラー、第２のミラーとは離間し、さらに具体的には第１及び第２のミラーの間に配置されているため、これらと接近若しくは密着して配置されている場合に比較して不要なフレア、ゴーストの発生が抑えられ、ＡＦセンサには、不要な光である赤外光が除去されながら正確な焦点検出ができることになる。
【０００９】
また、この発明は、一眼レフレックスカメラのための焦点検出装置を、カメラボデイ下部に配置され、カメラ後方の斜め上向き方向に向いて撮影光学系からの被写体光束の一部を集光するコンデンサーレンズと、上記コンデンサーレンズからの光束を上記撮影光学系の光軸後方に反射する第１のミラーと、上記第１のミラーで反射された光束をカメラ下方に反射する第２のミラーと、上記第２のミラーで反射された光束を分割するセパレータレンズと、上記セパレータレンズの下方に配置され、該セパレータレンズで分割された光束が入射されるＡＦセンサとを備えて、上記コンデンサーレンズの光軸を第１の線分とし、上記第１のミラーの反射中心と上記第２のミラーの反射中心とを結ぶ線分を第２の線分とし、上記第２のミラーの反射中心と上記ＡＦセンサ中心とを結ぶ線分を第３の線分とし、上記撮影光学系の光軸と上記第１の線分との交差角度をα、第１の線分と第２の線分との交差角度をβ、第２の線分と第３の線分との交差角度をγとすると、
α＜９０°、β＜９０°、γ＜９０°
に設定するように構成した。
【００１０】
上記構成によれば、撮影光学系からの被写体光束の一部は、コンデンサーレンズで集光されて、第１のミラーで撮影光学系の光軸後方に反射され、第２のミラーでカメラ下方に反射された後、セパレータレンズを通してＡＦセンサに入射され、焦点の検出に供されている。
【００１１】
これにより、ＡＦセンサとの必要光路長を維持した状態で、組立状態における高さ寸法を小さくすることが可能となり、カメラボディの小形化の促進に寄与することができる。
【００１２】
また、この発明は、一眼レフレックスカメラのための焦点検出装置を、撮影光学系からの被写体光束を反射して接眼光学系へ導き、該被写体光束の一部を透過するメインミラーと、上記メインミラーの背面に配置され、上記被写体光束の一部を下方に反射するサブミラーと、上記サブミラーの下部に配置され、カメラ後方の斜め上向き方向を向いて上記サブミラーで反射された上記被写体光束の一部を集光するコンデンサーレンズと、上記コンデンサーレンズからの光束を上記撮影光学系の光軸後方に反射する第１のミラーと、上記第１のミラーで反射された光束をカメラ下方に反射する第２のミラーと、上記第２のミラーで反射された光束を分割するセパレータレンズと、上記セパレータレンズの下方に配置され、該セパレータレンズで分割された光束が入射されるＡＦセンサとを備え、上記コンデンサーレンズの光軸を第１の線分とし、上記第１のミラーの反射中心と上記第２のミラーの反射中心とを結ぶ線分を第２の線分とし、上記第２のミラーの反射中心と上記ＡＦセンサ中心とを結ぶ線分を第３の線分とし、上記撮影光学系の光軸と上記第１の線分との交差角度をα、第１の線分と第２の線分との交差角度をβ、第２の線分と第３の線分との交差角度をγとすると、
α＜９０°、β＜９０°、γ＜９０°
に設定して構成した。
【００１３】
上記構成によれば、撮影光学系からの被写体光束は、メインミラーによりを接眼光学系及びサブミラーに導かれ、サブミラーに導かれた一部の被写体光束がコンデンサーレンズに導かれて集光され、第１のミラーで撮影光学系の光軸後方に反射されて、第２のミラーでカメラ下方に反射された後、セパレータレンズを通してＡＦセンサに入射され、焦点の検出に供されている。
【００１４】
これにより、ＡＦセンサとの光軸方向の間隔の寸法精度を維持した状態で、組立状態における高さ寸法を小さくすることが可能となり、カメラボディの小形化の促進に寄与することができる。
【発明の効果】
【００１５】
以上述べたように、この発明によれば、構成簡易にして、小形化の促進を図り得る焦点検出を実現し得るようにした焦点検出装置を提供することができる。
【発明を実施するための最良の形態】
【００１６】
以下、この発明の実施の形態に係る一眼レフレックスカメラのための焦点検出装置について、図面を参照して詳細に説明する。
【００１７】
図１は、この発明の一実施の形態に係る焦点検出装置を搭載した一眼レフレックスカメラを示すもので、カメラボディ１０は、前カバー１０１、ストロボカバー１０２及び後カバー１０３等で構成される。このうち、前カバー１０１には、その前面略中央部にボディマウント部１１が設けられ、このボディマウント部１１には、図示しない撮影光学系が選択的に装着されて撮影が行われる。
【００１８】
そして、ボディマウント部１１の後方略中央部には、メインミラー１２及びサブミラー１３が可動自在に配置される。また、カメラボディ１０には、カメラ上方に焦点板１４、ペンタプリズム１５、接眼光学系１６が上記メインミラー１２の反射光路上に順に配置され、そのカメラ下方に焦点検出装置を構成する焦点検出部３０が上記サブミラー１３の反射光路に対応して配置される。
【００１９】
そして、サブミラー１３後方の光路上には、シャッタ装置１７、ローパスフィルタ１８を介して撮像素子を含む撮像部１９が配置されている。この撮像部１９は、処理制御部を構成する図示しないＣＰＵの搭載された印刷配線基板２０に電気的に接続されている。
【００２０】
上記焦点検出部３０は、図２及び図３に示すようにコンデンサーレンズ３１、第１のミラー３２、第２のミラー３３、赤外カットフィルタ３４、セパレータレンズ３５及びＡＦ（オートフォーカス）センサ３６が枠部材３７を介して後述するように組付け配置されている。このＡＦセンサ３６は、例えば周知のセンサアレイを用いた位相差方式のものが用いられている。
【００２１】
上記コンデンサーレンズ３１は、カメラ後方の斜め上向き方向に向いて枠部材３７に取付けられ、このコンデンサーレンズ３１の光軸上上方には、取付枠３７１が配置され、下方には、コンデンサーレンズ３１を透過して入射した光束を、上記撮影光学系の後方に反射するように上記第１のミラー３２が配置されている。そして、この第１ミラー３２の反射光路には、第１のミラー３２の反射した光束をカメラ下方に反射するように上記第２のミラー３３が、配置されている。
【００２２】
第２のミラー３３の反射光路には、上記セパレータレンズ３５がセパレータ絞り３８を介して対向配置される（図２参照）。これら第１及び第２のミラー３２，３３の反射面には、それぞれミラー絞り３９，４０が配置されている。
【００２３】
また、第１のミラー３２の反射光路であって、第１及び第２のミラー３２，３３の中間部には、上記赤外カットフィルタ３４が配置されている。この赤外カットフィルタ３４は、上記枠部材３７に支持されて第１のミラー３２の反射光路上に配置され、上記第１のミラー３２で反射された後の光束からＡＦセンサ３６に不要な赤外光成分を除去し、第２のミラー３３に反射する。
【００２４】
第２のミラー３３は、入射した光束を上記セパレータレンズ３５に向けて反射する。このセパレータレンズ３５の光軸上には、上記ＡＦセンサ３６が配置され、セパレータ絞り３８を通して入射した第２のミラー３３からの光束を、例えば４分割してＡＦセンサ３６に案内する。
【００２５】
このＡＦセンサ３６は、例えばホルダー部材３７２を介して上記枠部材３７に取付けられ、フレキシブル印刷配線基板４１を介して上記印刷配線基板２０に電気的に接続されている。ＡＦセンサ３６は、セパレータレンズ３５から入射した光束に基づいて焦点位置を検出して、その検出信号を、フレキシブル印刷配線基板４１を介して印刷配線基板２０に出力する。
【００２６】
ここで、上記焦点検出部３０は、例えば図３に示すようにコンデンサーレンズ３１の光軸を第１の線分Ｏ１とし、上記第１のミラー３２の反射中心と上記第２のミラー３３の反射中心とを結ぶ線分を第２の線分Ｏ２とし、上記第２のミラー３３の反射中心と上記ＡＦセンサ３６の中心とを結ぶ線分を第３の線分Ｏ３とし、上記撮影光学系の光軸Ｏと上記第１の線分Ｏ１との鋭角である交差角度をα、第１の線分と第２の線分Ｏ２との鋭角である交差角度をβ、第２の線分Ｏ２と第３の線分Ｏ３との鋭角である交差角度をγとすると、
α＜９０°、β＜９０°、γ＜９０°
に設定されている。
【００２７】
さらに、第２の線分Ｏ２の延長線は、上記撮影光学系の光軸と非平行であり、上記撮影光学系の光軸延長線上であってサブミラー１３の後方において、鋭角である交差角度δで交差している。
【００２８】
ここで、上記赤外カットフィルタ３４は、上記第２の線分Ｏ２上における第１のミラー３２と第２のミラー３３との中間部に配置され、上述したように第１のミラー３２で反射されＡＦセンサ３６にとって不要な赤外光成分を除去した光束を、第２のミラー３３に案内する。
【００２９】
このようにコンデンサーレンズ３１、第１及び第２のミラー３２，３３、セパレータレンズ３５を、その第１乃至第３の線分Ｏ１，Ｏ２，Ｏ３の交差角度α、β、γ、δを設定していることにより、ＡＦセンサ３６との必要光路長を維持した状態で、組立時における高さ寸法Ｈ（図３参照）の最小化を図ることが可能となる。
【００３０】
なお、上記カメラボディ１０の後面には、上部にファインダ接眼枠２１が上記接眼光学系１６の後方に配置され、このファインダ接眼枠２１の下方に並設されてバックモニター２２が配置されている。
【００３１】
上記構成において、撮影光学系で取込んだ被写体光束は、メインミラー１２により反射されて焦点板１４及びサブミラー１３に導かれる。このうち焦点板１４に導かれた被写体光束は、ペンタプリズム１５を介して接眼光学系１６に導かれたファインダ接眼枠２１を介して観察される。
【００３２】
そして、メインミラー１２を透過した被写体光束の一部は、サブミラー１３に導かれて集光され、第１のミラー３２で撮影光学系の光軸後方に反射される。この第１のミラー３２で反射された光束は、赤外カットフィルタ３４で赤外光成分が除去された後、第２のミラー３３でカメラ下方に反射される。
【００３３】
この第２のミラー３３で反射された光束は、セパレータ絞り３８及びセパレータレンズ３５を通して分割されてＡＦセンサ３６に入射される。ＡＦセンサ３６は、セパレータレンズ３５を通して入射された光束に基づいて焦点距離を検出して、その検出した検出信号を、フレキシブル印刷配線基板４１を介して上記印刷配線基板２０のＣＰＵに出力する。ＣＰＵは、入力した検出信号に基づいて所定の輝度の処理を実行して駆動信号を生成し、この駆動信号に基づいて上記撮影光学系の調整機構を駆動して焦点調整を実行する。
【００３４】
このように、上記焦点検出装置は、撮影光学系からの被写体光束の一部を集光するコンデンサーレンズ３１を、カメラボディ１０の下部に、カメラ後方の斜め上向き方向に向いて配置して、このコンデンサーレンズ３１からの光束を第１のミラー３２で、撮影光学系の光軸後方に反射させ、この第１のミラー３２で反射された光束を、赤外カットフィルタ３４を通させた後、第２のミラー３３でカメラ下方に反射させてセパレータレンズ３５で分割してＡＦセンサ３６に入射させて焦点を検出するように構成した。
【００３５】
これによれば、焦点検出部におけるコンデンサーレンズ３１と、ＡＦセンサ３６との必要光路長を維持した状態で、組立状態における高さ寸法を小さくすることが可能となり、カメラボディ１０の小形化の促進に寄与することができる。
【００３６】
そして、赤外カットフィルタ３４が他の光学素子、例えばコンデンサーレンズ３１やセパレータレンズ３５、第１のミラー３２、第２のミラー３３とは離間し、さらに具体的には第１及び第２の反射ミラー３２，３３の間に配置されているため、これらと接近若しくは密着して配置されている場合に比較して不要なフレア、ゴーストの発生が抑えられ、ＡＦセンサ３６には、不要な光である赤外光が除去されながら正確な焦点検出ができることになる。
【００３７】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３８】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００３９】
また、この発明は、上記実施の形態に基づいて、次のような構成を得ることもできる。
【００４０】
（付記１）
一眼レフレックスカメラのための焦点検出装置において、
カメラ下部に配置され、上向きのカメラ斜め後方を向いて撮影光学系からの被写体光束の一部を集光するコンデンサーレンズと、
上記コンデンサーレンズからの光を上記撮影光学系の光軸後方に反射する第１のミラーと、
上記第１のミラーで反射された光をカメラ下方に反射する第２のミラーと、
上記第２のミラーで反射された光を分離するセパレータレンズと、
上記セパレータレンズの下方に配置されたＡＦセンサと、
上記第１のミラーと第２のミラーとの間に配置された赤外カットフィルタと、
を有したことを特徴とした一眼レフレックスカメラのための焦点検出装置。
【００４１】
（付記２）
上記コンデンサーレンズの光軸を第１の線分とし、上記第１のミラーの反射中心と上記第２のミラーの反射中心とを結ぶ線分を第２の線分とし、上記第２のミラーの反射中心と上記ＡＦセンサ中心とを結ぶ線分を第３の線分とし、上記撮影光学系の光軸と上記第１の線分との交差角度をα、第１の線分と第２の線分との交差角度をβ、第２の線分と第３の線分との交差角度をγとすると、
α＜９０°、β＜９０°、γ＜９０°
であることを特徴とした付記１記載の一眼レフレックスカメラのための焦点検出装置。
【００４２】
（付記３）
一眼レフレックスカメラのための焦点検出装置において、
カメラ下部に配置され、カメラ後方の斜め上向き方向を向いて撮影光学系からの被写体光束の一部を集光するコンデンサーレンズと、
上記コンデンサーレンズからの光を上記撮影光学系の光軸後方に反射する第１のミラーと、
上記第１のミラーで反射された光をカメラ下方に反射する第２のミラーと、
上記第２のミラーで反射された光を分離するセパレータレンズと、
上記セパレータレンズの下方に配置されたＡＦセンサと、
を有し、上記コンデンサーレンズの光軸を第１の線分とし、上記第１のミラーの反射中心と上記第２のミラーの反射中心とを結ぶ線分を第２の線分とし、上記第２のミラーの反射中心と上記ＡＦセンサ中心とを結ぶ線分を第３の線分とし、上記撮影光学系の光軸と上記第１の線分との交差角度をα、第１の線分と第２の線分との交差角度をβ、第２の線分と第３の線分との交差角度をγとすると、
α＜９０°、β＜９０°、γ＜９０°
であることを特徴とした一眼レフレックスカメラのための焦点検出装置。
【００４３】
（付記４）
上記第１のミラーと第２のミラーとの間に赤外カットフィルタを配置したことを特徴とした付記３記載の一眼レフレックスカメラのための焦点検出装置。
【００４４】
（付記５）
一眼レフレックスカメラのための焦点検出装置において、
撮影レンズからの被写体光束を反射して接眼光学系へ導き、該被写体光束の一部を透過する反射メインミラーと、
上記反射ミラーの背面に配置され上記被写体光束の一部を下方に反射するサブミラーと、
上記サブミラーの下部に配置され、カメラ後方の斜め上向き方向を向いて上記サブミラーで反射された上記被写体光束の一部を集光するコンデンサーレンズと、
上記コンデンサーレンズからの光を上記撮影光学系の光軸後方に反射する第１のミラーと、
上記第１のミラーで反射された光をカメラ下方に反射する第２のミラーと、
上記第２のミラーで反射された光を分離するセパレータレンズと、
上記セパレータレンズの下方に配置されたＡＦセンサと、
を有し、上記コンデンサーレンズの光軸を第１の線分とし、上記第１のミラーの反射中心と上記第２のミラーの反射中心とを結ぶ線分を第２の線分とし、上記第２のミラーの反射中心と上記ＡＦセンサ中心とを結ぶ線分を第３の線分とし、上記撮影光学系の光軸と上記第１の線分との交差角度をα、第１の線分と第２の線分との交差角度をβ、第２の線分と第３の線分との交差角度をγとすると、
α＜９０°、β＜９０°、γ＜９０°
であることを特徴とした一眼レフレックスカメラのための焦点検出装置。
【００４５】
（付記６）
上記第１のミラーと第２のミラーとの間に赤外カットフィルタを配置したことを特徴とする付記５記載の一眼レフレックスカメラのための焦点検出装置。
【図面の簡単な説明】
【００４６】
【図１】この発明の一実施の形態に係る焦点検出装置を配した一眼レフレックスカメラの概略構成を説明するために示した断面図である。
【図２】図１の焦点検出部の外観構成を示した斜視図である。
【図３】図１の焦点検出部の配置構成を説明するために示した断面図である。
【符号の説明】
【００４７】
１０…カメラボディ、１０１…前カバー、１０２…ストロボカバー、１０３…後カバー、１１…ボディマウント部、１２…メインミラー、１３…サブミラー、１４…焦点板、１５…ペンタプリズム、１６…接眼光学系、１７…シャッタ装置、１８…ローパスフィルタ、１９…撮像部、２０…印刷配線基板、２１…ファインダ接眼枠、２２…バックモニター、３０…焦点検出部、３１…コンデンサーレンズ、３２…第１のミラー、３３…第２のミラー、３４…赤外カットフィルタ、３５…セパレータレンズ、３６…ＡＦセンサ、３７…枠部材、３７１…取付枠、３７２…ホルダー部材、３８…セパレータ絞り、３９，４０…ミラー絞り、４１…フレキシブル印刷配線基板。
【図１】
2009092957.tif 000003
【図２】
2009092957.tif 000004
【図３】
2009092957.tif 000005